(57)【要約】【課題】平常時には、防災関連用品等の物品の盗難を防止し、かつ、災害発生時には、不特定の者が防災関連用品等の物品を取り出すことができる収納スペースを有するベンチを提供すること。【解決手段】ベンチ１は、木製の側面板部４１等によって側面が形成されており、内部に物品を収納するための収納スペース３を有する土台筐体２と、土台筐体２の上部に取り付けられた座面部５０とを備える。土台筐体２は、物品を収納する際に、隠し錠６１１等によって開け閉めされる物品収納口４ａを含む。側面板部４１は、収納スペース３側に、全体の厚みに比べて厚みを薄くするための窪み部７１を有する。窪み部７１によって、側面板部４１が破壊しやすくなる。【選択図】図２
2008080179.tif 000002
【特許請求の範囲】
【請求項１】
物品を収納することができるベンチであって、
側面の一部が少なくとも１枚の木製板によって形成されており、内部に前記物品を収納するための収納スペースを有する土台筐体と、
前記土台筐体の上部に取り付けられた座面部とを備え、
前記土台筐体は、前記物品を収納する際に、錠によって開け閉めされる物品収納口を含み、
前記木製板は、前記収納スペース側に、当該木製板全体の厚みに比べて厚みを薄くするための窪み部を有することを特徴とする、ベンチ。
【請求項２】
前記座面部は、前記土台筐体から取り外し可能であり、
前記物品収納口は、前記土台筐体の上部の開口部であることを特徴とする、請求項１に記載のベンチ。
【請求項３】
前記座面部の下面には、複数の車輪が取り付けられていることを特徴とする、請求項２に記載のベンチ。
【請求項４】
前記座面部は、隠し錠を介して、前記土台筐体に取り付けられていることを特徴とする、請求項２に記載のベンチ。
【請求項５】
前記土台筐体は、さらに、
外側面の一部にスライド可能に取り付けられているスライド板部と、
前記スライド板部に対向するように前記収納スペース側に固定的に取り付けられており、前記隠し錠を有する隠し錠部とを含み、
前記スライド板部は、前記隠し錠の鍵穴を出現させるための鍵穴出現孔を有し、
前記土台筐体は、前記スライド板部がスライドされたときに、前記鍵穴出現孔を隠すための隠蔽部をさらに含むことを特徴とする、請求項４に記載のベンチ。
【請求項６】
前記スライド板部は、スライド時に、指を引っかけるための凹部をさらに有することを特徴とする、請求項５に記載のベンチ。
【請求項７】
前記土台筐体は、外側面を形成するように前記スライド板部に対して並べて取り付けられた一以上の側面板部をさらに含み、
前記一以上の側面板部は、前記凹部と同一の形状を有するダミー凹部を有することを特徴とする、請求項６に記載のベンチ。
【請求項８】
前記スライド板部は、前記遮蔽部を構成するために前記土台筐体に設けられた切り込み部に挿入されており、前記座面部が取り外されたときに、前記土台筐体から抜き取ることができることを特徴とする、請求項５に記載のベンチ。
【請求項９】
前記土台筐体は、さらに、
外側面の一部に固定的に取り付けられた最外板部と、
前記最外板部に対向するように、前記収納スペース側にスライド可能に取り付けられているスライド板部と、
前記スライド板部に対向するように、前記収納スペース側に固定的に取り付けられており、前記隠し錠を有する隠し錠部とを含み、
前記最外板部は、
前記隠し錠の鍵穴を出現させるための第１の鍵穴出現孔と、
前記スライド板部をスライドさせるための棒を挿入するための第１の挿入孔とを有し、
前記スライド板部は、
前記隠し錠の鍵穴を出現させるための第２の鍵穴出現孔と、
前記第１の挿入孔から挿入された前記棒を挿入するための第２の挿入孔とを有し、
前記第１及び第２の挿入孔に挿入された前記棒をスライドさせることによって、前記第１及び第２の鍵穴出現孔が前記鍵穴を出現させるように連通することを特徴とする、請求項４に記載のベンチ。
【請求項１０】
前記土台筐体は、さらに、
弾性力を有し、前記座面部を係止めするための留め金具と、
前記留め金具を固定するための留め金具固定部とを含み、
前記留め金具固定部は、前記留め金具に対して、押圧力を加えるための棒を差し込むための第１の金具用挿入孔を有することを特徴とする、請求項２に記載のベンチ。
【請求項１１】
前記土台筐体は、前記留め金具固定部に対向するように、外側面の一部にスライド可能に取り付けられているスライド板部をさらに含み、
前記スライド板部は、スライド後に、前記第１の金具用挿入孔と連通する第２の金具用挿入孔を有し、
前記土台筐体は、前記スライド板部がスライドされたときに、前記第２の金具用挿入孔を隠すための隠蔽部を有することを特徴とする、請求項１０に記載のベンチ。
【請求項１２】
前記スライド板部は、側面の一部が金属板で覆われていることを特徴とする、請求項５，９，又は１１のいずれかに記載のベンチ。
【請求項１３】
さらに、前記座面部が前記土台筐体から取り外された場合に作動する警報装置を備える、請求項２に記載のベンチ。
【請求項１４】
前記土台筐体及び座面部は、木製であり、
前記土台筐体及び座面部には、寸法安定処理及び／又は防腐処理が施されていることを特徴とする、請求項１に記載のベンチ。
【請求項１５】
前記窪み部は、上下方向に設けられた断面Ｖ字状の溝であることを特徴とする、請求項１に記載のベンチ。
【請求項１６】
前記断面Ｖ字状の溝の深さは、前記木製板の厚さの６５％以上７５％以下であることを特徴とする、請求項１４に記載のベンチ。
【請求項１７】
前記複数の車輪は、折り畳み可能な複数の脚部に取り付けられていることを特徴とする、請求項３に記載のベンチ。
【請求項１８】
前記隠し錠は、カマ錠であることを特徴とする、請求項４に記載のベンチ。
【発明の詳細な説明】
【技術分野】
【０００１】
本発明は、ベンチに関し、より特定的には、収納スペースを有するベンチに関する。
【背景技術】
【０００２】
各自治体では、近年、地震等の災害に備え、防災関連用品を公共の場に予め準備しておく活動を進めている。特に、大地震が発生した場合、初動時（２日程度）においては、消防や自衛隊などの救援隊が災害現場に到着できずに、救援活動が遅れる可能性がある。そのため、身近な公共の場に、救援道具が準備されていれば、迅速な救援活動の助けとなる。
【０００３】
このような観点の下、特許文献１では、防災関連用品や、負傷者を運搬することができる運搬車を収納したベンチが提案されている。特許文献１に提案されているベンチは、普段、公園や広場などの公共の場に設置されている。災害発生時に、ベンチの座部を開けることによって、収納されている防災関連用品を使用することができる。さらに、ベンチの座部には、車輪が取り付けられており、負傷者の運搬車として用いられる。
【０００４】
また、特許文献２では、防災関連用品を収納できると共に、担架としても使用できるベンチが提案されている。特許文献２に提案されているベンチも、普段は、公園等の公共施設に設置されている。災害発生時に、ベンチの座部を開け、収納されている防災関連用品を使用することができる。さらに、ベンチの座部を担架として使用することができる。
【０００５】
また、非特許文献１にも、防災関連用品を収納することができるベンチが提案されている。非特許文献１のベンチは、土台部がレンガで形成されており、頑丈な構造となっている。
【特許文献１】特開平１１−２２５８５３号公報
【特許文献２】特開２００２−２３８６９９号公報
【非特許文献１】信建工業株式会社、“製品情報”、［online］、［平成１９年１月２３日検索］、インターネット＜URL:  http://www.shinken-kogyo.co.jp/earth.html＞
【発明の開示】
【発明が解決しようとする課題】
【０００６】
特許文献１に記載のベンチは、座部が鍵などによって、土台部に固定されていない。したがって、収容されている防災関連用品が盗まれる可能性がある。したがって、このようなベンチにおいては、盗難の危険性を回避することが必要となる。
【０００７】
一方、特許文献２又は非特許文献１に記載のベンチは、座部と土台部とが南京錠などで固定されている。したがって、防災関連用品が盗まれる可能性は低くなる。
【０００８】
しかし、実際に災害が発生した場合、不特定の者が、ベンチに収納されている防災関連用品を使用できなければ、初動時の救援遅延という問題を解決することはできない。特許文献２又は非特許文献１に記載のベンチでは、鍵を所有するものしか、防災関連用品を取り出すことができず、不特定の者が防災関連用品を使用するという要求を満たすことができない。
【０００９】
それゆえ、本発明の目的は、平常時には、防災関連用品等の物品の盗難を防止し、かつ、災害発生時には、不特定の者が防災関連用品等の物品を取り出すことができる収納スペースを有するベンチを提供することである。
【課題を解決するための手段】
【００１０】
上記課題を解決するために、本発明は、以下のような特徴を有する。
本発明は、物品を収納することができるベンチであって、側面の一部が少なくとも１枚の木製板によって形成されており、内部に物品を収納するための収納スペースを有する土台筐体と、土台筐体の上部に取り付けられた座面部とを備える。土台筐体は、物品を収納する際に、錠によって開け閉めされる物品収納口を含む。当該木製板は、収納スペース側に、当該木製板全体の厚みに比べて厚みを薄くするための窪み部を有する。
【００１１】
このように、本発明によれば、災害時に備えて、物品を収納スペースに備えることができる。錠付きの物品収納口から物品が収納されるので、平常時には、物品が盗難されるのを防止することができる。災害発生時には、窪み部が設けられた木製板を破壊することによって、収納スペースに備えられた物品を取り出すことができる。したがって、災害時には、不特定の者が災害関連用品等の物品を取り出すことができる収納スペースを有するベンチが提供されることとなる。
【００１２】
座面部は、土台筐体から取り外し可能であり、物品収納口は、土台筐体の上部の開口部である。
【００１３】
このように、座面を土台筐体から取り外し可能にすれば、簡単に、物品を収納スペースに収納することができる。
【００１４】
座面部の下面には、複数の車輪が取り付けられている。
【００１５】
これにより、座面部を災害時の負傷者運搬や物品の運搬、テーブル等に使うことができる。
【００１６】
座面部は、隠し錠を介して、土台筐体に取り付けられている。
【００１７】
隠し錠によって、座面部が土台筐体に取り付けれらているので、平常時、錠が視認できない状態となっている。そのため、公衆は、座面部が取り外し可能であるということを認識できない。よって、内部の物品をいたずらしようとか、盗難しようとかいった思考を巡らすことを防止することができ、結果的に、いたずらや盗難の防止が図られる。
【００１８】
土台筐体は、さらに、外側面の一部にスライド可能に取り付けられているスライド板部と、スライド板部に対向するように収納スペース側に固定的に取り付けられており、隠し錠を有する隠し錠部とを含む。スライド板部は、隠し錠の鍵穴を出現させるための鍵穴出現孔を有する。土台筐体は、スライド板部がスライドされたときに、鍵穴出現孔を隠すための隠蔽部をさらに含む。
【００１９】
これにより、通常は、鍵穴が視認できないようにスライド板部の鍵穴出現孔を隠蔽しておき、座面部を取り外すときには、スライド板部をスライドさせて、隠し錠の鍵穴を出現させ、隠し錠を鍵で開けることが可能となる。この隠し錠構造は、簡易であり、錠自体は、市販の錠を使用することができるので、安価に、本発明に係るベンチを提供することができ、実用面において、非常に有効である。
【００２０】
スライド板部は、スライド時に、指を引っかけるための凹部をさらに有する。
【００２１】
これにより、凹部を利用して、スライド板部を簡単にスライドさせることができる。
【００２２】
土台筐体は、外側面を形成するようにスライド板部に対して並べて取り付けられた一以上の側面板部をさらに含む。一以上の側面板部は、凹部と同一の形状を有するダミー凹部を有する。
【００２３】
ダミー凹部を有することによって、公衆は、デザインとして、凹部が設けてあると認識して、凹部をスライドさせれば、鍵穴が現れるということに気付きにくい。これにより、さらなる盗難防止効果が期待できる。
【００２４】
スライド板部は、遮蔽部を構成するために土台筐体に設けられた切り込み部に挿入されており、座面部が取り外されたときに、土台筐体から抜き取ることができる。
【００２５】
これにより、何らかの理由でスライド板部に不具合が生じた場合、簡単に、スライド板部を交換することができる。
【００２６】
土台筐体は、さらに、外側面の一部に固定的に取り付けられた最外板部と、最外板部に対向するように、収納スペース側にスライド可能に取り付けられているスライド板部と、スライド板部に対向するように、収納スペース側に固定的に取り付けられており、隠し錠を有する隠し錠部とを含む。最外板部は、隠し錠の鍵穴を出現させるための第１の鍵穴出現孔と、スライド板部をスライドさせるための棒を挿入するための第１の挿入孔とを有する。スライド板部は、隠し錠の鍵穴を出現させるための第２の鍵穴出現孔と、第１の挿入孔から挿入された棒を挿入するための第２の挿入孔とを有する。第１及び第２の挿入孔に挿入された棒をスライドさせることによって、第１及び第２の鍵穴出現孔が鍵穴を出現させるように連通する。
【００２７】
これにより、スライド板部は、側面の内部に設けられ、棒などを第１及び第２の挿入孔に挿入させてスライドしない限り、鍵穴は出現してこない。すなわち、鍵穴を出現させるための難易度がさらに上がっており、盗難防止効果をさらに期待することができる。
【００２８】
土台筐体は、さらに、弾性力を有し、座面部を係止めするための留め金具と、留め金具を固定するための留め金具固定部とを含む。留め金具固定部は、留め金具に対して、押圧力を加えるための棒を差し込むための第１の金具用挿入孔を有する。
【００２９】
これにより、より簡素な構造で、土台筐体と座面部とを固定することができる。
【００３０】
土台筐体は、留め金具固定部に対向するように、外側面の一部にスライド可能に取り付けられているスライド板部をさらに含む。スライド板部は、スライド後に、第１の金具用挿入孔と連通する第２の金具用挿入孔を有する。土台筐体は、スライド板部がスライドされたときに、第２の金具用挿入孔を隠すための隠蔽部を有する。
【００３１】
このように、スライド板部をスライドさせない限り、金具用挿入孔が出現しないので、盗難防止効果が期待できる。
【００３２】
スライド板部は、側面の一部が金属板で覆われている。
【００３３】
これにより、スライド板部の反りや収縮等を防止することができる。
【００３４】
さらに、本発明のベンチは、座面部が土台筐体から取り外された場合に作動する警報装置を備える。
【００３５】
これにより、座面部が土台筐体から取り外された場合に、ブザーやベル等の警報装置が作動して、収納されている物品が盗難されるおそれを知らせてくれることができる。これにより、物品の盗難を防止することが期待できる。なお、警報装置は、電気式のものに限らず、ゼンマイ式など、機械仕掛けであってもよい。
【００３６】
土台筐体及び座面部は、木製であり、土台筐体及び座面部には、寸法安定処理及び／又は防腐処理が施されている。
【００３７】
これにより、長期間に渡り本発明のベンチの利用が可能となる。
【００３８】
窪み部は、上下方向に設けられた断面Ｖ字状の溝である。
【００３９】
これにより、側面の木製板を容易に破壊することができるようになる。
【００４０】
断面Ｖ字状の溝の深さは、木製板の厚さの６５％以上７５％以下である。
【００４１】
このような深さの限定によって、ベンチの強度と木製板の破壊しやすさとが両立することとなる。
【００４２】
好ましくは、複数の車輪は、折り畳み可能な複数の脚部に取り付けられているとよい。
【００４３】
これにより、土台筐体内の収納スペースを広く確保することができ、より多くの物品を収納することができる。また、複数の脚部を立脚させた際、座面部を高い位置にすることができるので、担架やテーブル等として、座面部を活用することが可能となる。逆に、複数の脚部を折り畳んだ場合、座面部を台車等に利用することができる。
【００４４】
好ましくは、隠し錠は、カマ錠であることとよい。
【００４５】
これにより、隠し錠の構造をより簡易なものとすることができ、製造コストの低減が期待できる。
【発明の効果】
【００４６】
以上、本発明によれば、平常時には、防災関連用品等の物品の盗難を防止し、かつ、災害発生時には、不特定の者が防災関連用品等の物品を取り出すことができる収納スペースを有するベンチが提供されることとなる。
【００４７】
本発明のこれらおよび他の目的、特徴、局面、効果は、添付図面と照合して、以下の詳細な説明から一層明らかになるであろう。
【発明を実施するための最良の形態】
【００４８】
（第１の実施形態）
図１は、本発明の第１の実施形態に係るベンチ１の斜視図である。図１において、ベンチ１は、土台筐体２と、座面部５０とを備える。座面部５０は、土台筐体２の上部に取り付けられている。土台筐体２の内部には、防災関連用品等の物品を収納することができる。
【００４９】
土台筐体２は、四隅に設けられた柱１１，１２，１５等と、側面に設けられた柱１３，１４等とによって支えられている。土台筐体２は、略直方形である。土台筐体２の短手方向の一側面は、柱１１と柱１２との間に設けられたスライド板部２１及び側面板部２２，２３によって、形成されている。短手方向の一方の側面も、当該短手方向の一側面と同様の構成を有する。
【００５０】
土台筐体２の長手方向の一側面は、柱１２と柱１３との間に設けられた側面板部４１，４２，４３と、柱１３と柱１４との間に設けられたスライド板部３１及び側面板部３２，３３と、柱１４と柱１５との間に設けられた側面板部４４，４５，４６とによって、形成されている。土台筐体２の長手方向の一方の側面も、当該長手方向の一側面と同様の構成を有する。
【００５１】
ベンチ１を構成する柱や板材は、木製である。ベンチ１を構成する木材には、反りや歪み等の寸法ずれを防止するために、専用薬剤によって、寸法安定処理が施されている。また、寸法安定処理と一緒に又は単独で、当該木材には、防腐処理が施されている。たとえば、当該木材に、ポリアクリ酸亜鉛及びジメチロールエチレン尿素樹脂などを浸透させる処理を施すことによって、寸法安定処理及び／又は防腐処理を実現することができる。寸法安定処理及び防腐処理については、特許第１８３２９００号等に詳しく記載されている。当然、これ以外の寸法安定処理及び防腐処理であってもよい。
【００５２】
図２は、図１におけるＡ面で切り取ったときの断面図である。図２において、図１と同一の部分については、同一の参照符号を付す。図２に示すように、土台筐体２は、内部に、側面の板材及び底面の板材によって得られる収納スペース３を有する。収納スペース３に、防災関連用品等の物品が収納される。長手方向の側面を形成する側面板部４１，４４，４７，４８は、収納スペース３側に、断面Ｖ字の溝状に切り欠かれた窪み部７１，７２，７３，７４を有する。窪み部７１，７２，７３，７４と同様の溝状の切り欠けが、側面板部４１，４４，４７，４８の下方に設けられた側面板部にも形成されている。窪み部７１，７２，７３，７４は、ベンチ１に対して、上下方向（縦方向）に形成されている。
【００５３】
図３は、一例として、側面板部４１，４２，４３に形成された窪み部７１を示す斜視図である。なお、図３と同様の構造が、側面板部４４，４７，４８の下方の側面板部にも設けられている。
【００５４】
たとえば、窪み部７１に対して、土台筐体２の外側から、衝撃を加えれば、容易に、側面板部４１，４２，４３を破壊することができる。災害時、何人も、側面板部４１，４２，４３を破壊すれば、収納スペース３に収納されている物品を取り出すことができ、取り出した物品を使って救援活動等を行うことができる。
【００５５】
なお、側面板部４１，４２，４３の破壊を容易にする共に、ベンチ１自体の強度を確保するためには、好ましくは、窪み部７１の溝の深さは、側面板部４１，４２，４３の厚みに対して、６５％以上７５％以下であるとよい。また、窪み部７１の溝の最大幅は、側面板部４１，４２，４３の厚みに対して、１０％程度であるとよい。
【００５６】
土台筐体２の短手方向の両側面には、隠し錠構造が設けられている。また、土台筐体２の長手方向の両側面中央部分にも、隠し鍵構造が設けられている。
【００５７】
柱１１及び１２には、収納スペース３側に、断面Ｌ字状の切り込み部が設けられている。この切り込み部の間に、スライド板部２１が挿入されている。スライド板部２１の長さは、柱１１と柱１２とに設けられた切り込み部の間の長さよりも短くなっている。そのため、スライド板部２１は、柱１１及び／又は柱１２に設けられた空きスペースを利用して、スライドすることができる。このように、スライド板部２１は、土台筐体２の外側面の一部にスライド可能に取り付けられている。
【００５８】
スライド板部２１に対向するように、収納スペース３側に、隠し錠６１１を含む隠し錠部６１が固定的に取り付けられている。隠し錠６１１は、鍵穴６１２と、デッドボルト６１３とを有する。隠し錠６１１は、一般に入手可能な錠を利用すればよいので、その詳しい内部構造についての説明は省略する。座面部５０に取り付けられたフック５０１（後述の図５参照）を収納するためのフック収納部６１４が、隠し錠部６１のデッドボルト６１３付近に彫り込まれている。デッドボルト６１３及びフック５０１によって、座面部５０は、土台筐体２に取り付けられる。
【００５９】
スライド板部２１には、鍵穴出現孔２１１が穿孔されている。スライド板部２１の中央部に設けられた凹部２１ａに指を添えて、スライド板部２１をスライドさせることによって、鍵穴出現孔２１１が視認可能となる。スライド板部２１を柱１２側に完全にスライドさせた場合、鍵穴出現孔２１１から、鍵穴６１２を視認することができる。すなわち、柱１１の切り込み部は、スライド板部２１を柱１１側にスライドさせたときに、鍵穴出現孔２１１を隠蔽するための隠蔽部１１ａとして機能する。
【００６０】
図４（ａ）は、スライド板部２１をスライドさせたときに、鍵穴出現孔２１１から鍵穴６１２が視認できるようになった様子を示す拡大断面図である。図４（ｂ）は、図１に示すＢ方向から、スライド板部２１を含む側面を見たときの図である。図４（ａ），（ｂ）に示すように、スライド板部２１をスライドさせることによって、鍵穴視認孔２１１から鍵穴６１１を視認することができる。さらに、鍵穴視認孔２１１から、鍵穴６１１に対して、鍵を挿入することができる。なお、本発明のベンチ１は、公共の場に設置される場合があるので、鍵穴視認孔２１１の径は、指などが挟まらないように考慮された大きさであるとよい。
【００６１】
図４（ｂ）に示すように、スライド板部２１に対して並べて取り付けられた側面板部２２，２３は、スライド板部２１と同一の形状及び同一の位置関係を有するダミー凹部２２ａ，２３ａを有する。スライド板部２１を柱１１側にスライドさせた場合、凹部２１ａとダミー凹部２２ａ，２３ａとは、あたかも一連に彫り込まれたかのように表面が段差無く連続的に繋がる。これにより、ベンチ１の短手方向の側面部分に、一連の彫り込み溝が形成されているかのような印象を与えることができ、スライド板部２１を柱１２側にスライドさせて、鍵穴６１１を出現させようとする意識を働かせないようにすることができ、いたずらや盗難を防止することができる。なお、スライド板部２１と並べて取り付けられている側面板部２２，２３は、少なくとも一枚であればよい。また、凹部２１ａ，２２ａ，２３ａは、図示した以外の形状であってもよい。たとえば、円形の穴が凹部２１ａ，２２ａ，２３ａとして設けられていても良い。さらに、スライド板部２１をスライドさせるために、スライド板部２１に凸部を設け、同一形状及び同一位置関係に、側面板部２２，２３にも凸部が設けられていても良い。
【００６２】
スライド板部２１及び隠し錠部６１と同様の構成が、土台筐体２の短手方向他側面、長手方向両側面中央部に設けられている。すなわち、短手方向他側面には、スライド板部２４と、隠し錠部６３とによって、隠し錠構造が形成されている。スライド板部２４は、凹部２４ａと、鍵穴出現孔２４１とを含む。また、隠し錠部６３は、鍵穴６３２及びデッドボルト６３３を有する隠し錠６３１と、座面部５０に取り付けられたフックを収納するためのフック収納部６３４とを含む。柱１５，１６には、それぞれ、スライド板部２４を挿入するための断面Ｌ字状の切り込み部が設けられている。柱１５に設けられた当該切り込み部が、鍵穴出現孔２４１を隠すための隠蔽部１５ａとして機能する。
【００６３】
また、長手方向側面中央部には、それぞれ、スライド板部３１，３４と、隠し錠部６２，６４とによって、隠し錠構造が形成されている。スライド板部３１，３４は、それぞれ、凹部３１ａ，３４ａと、鍵穴出現孔３１１，３４１とを含む。また、隠し錠部６２，６４は、それぞれ、鍵穴６２２，６４２及びデッドボルト６２３，６４３を有する隠し錠６２１，６４１と、座面部５０に取り付けられたフックを収納するためのフック収納部６２４，６４４とを含む。柱１３，１４には、それぞれ、スライド板部３１を挿入するための断面Ｌ字状の切り込み部が設けられている。柱１３に設けられた当該切り込み部が、鍵穴出現孔３１１を隠すための隠蔽部１３ａとして機能する。柱１７，１８には、それぞれ、スライド板部３４を挿入するための断面Ｌ字状の切り込み部が設けられている。柱１７に設けられた当該切り込み部が、鍵穴出現孔３４１を隠すための隠蔽部１７ａとして機能する。
【００６４】
デッドボルト６１３，６２３，６３３，６４３によって、座面部５０のフックが固定され、座面部５０が土台筐体２に取り付けられることとなる。隠し錠６１１，６２１，６３１，６４１が開けられることによって、座面部５０が上方向に取り外すことが可能となる。
【００６５】
図５（ａ），（ｂ），（ｃ）は、図４（ａ）におけるＣ−Ｃ面における断面図である。図５（ａ）に示すように、座面部５０には、Ｌ字状のフック５０１が取り付けられている。フック５０１は、フック収納部６１４に収納されている。鍵穴出現孔２１１を介して挿入された鍵が鍵穴６１２に挿入されて、隠し錠６１１のデッドボルト６１３が開けられると、図５（ｂ）に示すように、ロック状態が解除される。全ての隠し錠６１１，６２１，６３１，６４１のロック状態か解除された段階で、座面部５０を上方向に持ち上げると、座面部５０を土台筐体２から取り外すことができる（図５（ｃ）参照）。このように、座面部５０は、隠し錠６１１，６２１，６３１，６４１を介して、土台筐体２に取り外し可能に取り付けられている。座面部５０が上方向に取り外された場合、土台筐体２の上部の開口部が、物品を収納するための物品収納口４ａとして機能する（図２参照）。これにより、物品収納口４ａから、防災関連用品等の物品を収納スペース３に収納することができる。
【００６６】
座面部５０が土台筐体２から取り外された場合、スライド板部２１，２４，３１，３４を各柱に設けられた切り込み部から抜き取ることができる。したがって、スライド板部２１，２４，３１，３４が何らかの理由により、劣化した場合、新しいスライド板部２１，２４，３１，３４に容易に取り替えることができる。
【００６７】
図６は、鍵の一例を示す図である。鍵穴出現孔２１１等は、細長い穴であるので、棒状の部材に、一般的な鍵を取り付けることによって、鍵を鍵穴６１２にまで届かせることができる。
【００６８】
図７は、取り外された座面部５０の斜視図である。図７に示すように、座面部５０には、フック収納部６１４，６２４，６３４，６４４に対応する位置に、４つのフック５０１が取り付けられている。さらに、座面部５０には、フック５０１による固定の邪魔にならず、かつ土台筐体２に収納可能な位置に、複数の車輪７９が取り付けられている。収納スペース３には、隠し錠６１１，６２１，６３１，６４１を開けるための合い鍵が収納されている。災害時、側面板部４１等を破壊し、収納スペース３から、合い鍵を取り出して、座面部５０を取り外せば、座面部５０を負傷者の運搬や各種物品の運搬、テーブル等に利用することができる。
【００６９】
このように、本発明の第１の実施形態によれば、隠し錠を設けることによって、平常時には、防災関連用品等の収納されている物品の盗難を防止することができる。側面板部に窪み部が設けられているので、災害発生時には、側面板部を破壊して、収納されている物品を不特定の者が取り出すことができる。
【００７０】
なお、図３に示した窪み部７１の構造は、あくまでも一例である。窪み部７１は、上下方向に複数本形成されていてもよい。また、窪み部７１は、断面Ｖ字状の溝に限られるものではない。たとえば、断面台形状であってもよい（図８（ａ）参照）。また、上下方向（縦方向）に溝が形成されていることに限定されるものではない。たとえば、斜め方向に彫り込まれた溝が窪み部７１を構成してもよいし（図８（ｂ）参照）、それらの溝が複数本設けられていてもよい。また、格子状に彫り込まれた溝が窪み部７１を構成してもよい。左右方向に彫り込まれた溝が窪み部７１を構成してもよい（図８（ｃ）参照）。その他、不連続に彫り込まれた窪み部７１であってもよいし（図８（ｄ）参照）、円形又は多角形状に彫り込まれた窪み部７１であってもよい（図８（ｅ）参照）。すなわち、側面の一部を構成する木製板には、収納スペース３側に、当該木製板を破壊容易にするために、当該木製板の全体の厚みに比べて厚さを薄くするための窪み部が設けられていればよい。当該窪み部を如何なる形状にすべきか、窪み部をいくつ設けるかなどは、ベンチ全体の強度と破壊のしやすさとを考慮して、決定されるべきである。
【００７１】
なお、第１の実施形態では、ベンチ１は、全て木製であるとしたが、側面板部が破壊できるようになっていればよいので、全てが木製であることに限定されず、少なくとも側面の一部が木製板によって形成されており、当該木製板に、窪み部７１が形成されていればよい。
【００７２】
なお、第１の実施形態では、スライド板部２１，２４，３１，３４を柱に設けられた切り込み部に挿入することとしたが、これに限られるものではない。スライド可能にスライド板部が取り付けられているのであれば、柱以外の部分に切り込み部が設けられていて、その切り込み部にスライド板部が挿入されていてもよい。また、その他のあらゆる形態が適用できる。
【００７３】
（第２の実施形態）
図９（ａ）は、本発明の第２の実施形態に係る隠し錠構造を有するベンチの短手方向外側面を示す正面図である。図９（ｂ）は、第２の実施形態に係るベンチの図１でのＡ面対応の断面図である。図９（ｃ）は、スライド後の断面図である。図９（ａ）に示すように、第２の実施形態において、柱１１１と柱１１２との間に、最外板部２５と、側面板部２６，２７とが設けられている。最外板部２５及び側面板部２６，２７は、スライドしない。図９に示した構造は、各隠し錠構造部分に適用されおり、それ以外の構造は、第１の実施形態と同様であり、適宜、第１の実施形態の参照符号を援用する。
【００７４】
図９（ｂ）を参照して、内部構造を詳細に説明する。柱１１１，１１２には、少なくとも２枚分の板厚のＬ字状の切り込み部が設けられている。当該切り込み部に、最外板部２５と、スライド板部６１６とが挿入されている。最外板部２５は、スライドしないように、ベンチの外側面の一部である柱１１１と柱１１２とに固定的に取り付けられている。最外板部２５に対向するように、収納スペース３側に、スライド板部６１６がスライド可能に取り付けられている。スライド板部６１６に対向するように、収納スペース３側に、隠し錠部６１５が側面板部４１，４７に固定的に取り付けられている。最外板部２５は、第１の鍵穴出現孔２５１と、第１の挿入孔２５２とを含む。スライド板部６１６は、第２の鍵穴出現孔６１７と、第２の挿入孔６１８とを含む。隠し錠部６１５は、第１の実施形態と同様の構造を有する。
【００７５】
スライド板部６１６が柱１１１側にスライドされた状態において、第２の挿入孔６１８は、第１の挿入孔２５２から視認可能に位置される。一方、スライド板部６１６が柱１１１側にスライドされた状態において、第２の鍵穴出現孔６１７は、第１の鍵穴出現孔２５１からは視認できないように隠れる。スライド板部６１６は、第１の挿入孔２５２を介して、第２の挿入孔６１８に挿入された棒（図示せず）を利用して、柱１１２側にスライドされる。スライド板部６１６が柱１１２側にスライドされると、図９（ｃ）に示すように、第２の鍵穴出現孔６１７と第１の鍵穴出現孔２５１とが連通し、鍵穴６１２が出現し視認可能となる。このようにして、出現した鍵穴６１２に対して、第１の実施形態と同様に、棒の先に取り付けられた鍵（図６参照）を、第１及び第２の鍵穴出現孔２５１，６１７を介して、挿入し、隠し鍵６１１のロックを解除することによって、座面部５０が取り外し可能となる。
【００７６】
このように、第２の実施形態に示すような隠し錠構造であっても、本発明を実現することができる。第２の実施形態に示すような隠し錠構造では、第１の実施形態と異なり、第１及び第２の挿入孔２５２，６１８に棒を挿入しない限り、スライド板部６１６を容易にスライドさせることができない。したがって、隠し錠の存在がより秘密に保たれることとなる。よって、平常時は、いたずらや盗難をより防止することができる。その他は、第１の実施形態と同様であるので、災害時は、側面板部を破壊して、内部の物品を取り出すことができる。
【００７７】
なお、第２の実施形態においても、図１０に示すように、ダミー鍵穴出現孔２５１ａ，２５１ｂ及びダミー挿入孔２５２ａ，２５２ｂを側面板部に設けることによって、これらの孔が意匠面で施されているとの印象をあたえ、いたずらや盗難をより防止することが期待できる。なお、第２の実施形態に係るベンチが公共の場に設置される場合、これらの孔は、指を詰めないように、安全のために、適当な大きさに選択されているとよい。
【００７８】
また、第１の実施形態と同様に、スライド板部６１６は、座面部５０を取り外せば、抜き取り可能となるので、劣化等すれば、新しいものと容易に取り替えることができる。
【００７９】
（第３の実施形態）
図１１は、本発明の第３の実施形態に係るベンチの短手方向外側面の断面図である。第３の実施形態に係るベンチの短手方向外側面図は、見かけ上は、第１の実施形態と同様であるので、図１及び図４（ｂ）を援用する。また、第１の実施形態と同様の部分については、同一の参照符号を援用することとする。
【００８０】
図１１に示すように、第３の実施形態において、柱１１と柱１２との間に、スライド板部２１ｄが設けられている。スライド２１ｄの設置方法は、第１の実施形態と同様である。スライド板部２１ｄに対向するように収納スペース３側に、留め金具固定部８１が固定的に取り付けられている。留め金具固定部８１には、留め金具９１が固定されている。留め金具９１は、弾性力を有する金具であり、座面部５１（後述の図１３参照）を係止めすることができる。留め金具固定部８１には、第１の金具用挿入孔８１１が穿孔されている。スライド板部２１ｄには、第２の金具用挿入孔２１１ｄが穿孔されている。
【００８１】
スライド板部２１ｄを柱１１側にスライドさせると、第２の金具用挿入孔２１１ｄが、柱１１の隠蔽部１１ａに隠れる。逆に、スライド板部２１ｄを柱１２側にスライドさせると、第１の金具用挿入孔８１１と第２の金具用挿入孔２１１ｄとが連通する。この連通した孔に、棒などの細長い部材を挿入して、留め金具９１に押圧力を加えることによって、留め金具９１の弾性力に反発力を加えることができ、これによって、座面部５１の係止めを解除し、座面部５１を取り出すことができる。すなわち、留め具９１が錠の役割をする。
【００８２】
図１１に示す錠構造は、第１の実施形態と同様、四方の側面に設けられているので、全ての留め金具９１に対して、押圧力を同時に加え、同時に係り止めを解除しなければ、うまく座面部５１を取り外すことができない。したがって、容易に、座面部５１を取り外すことができないので、いたずらや盗難を効果的に防止することができる。なお、図１１で示した錠構造以外は、第１の実施形態と同様である。
【００８３】
図１２は、留め金具９１の構造の一例を示す図である。図１２において、留め金具９１は、Ｌ字状金具９１５と、ヒンジ部９１１と、取り付け部９１４とを含む。ヒンジ部９１１は、ねじりコイルバネ９１２，９１３を有する。ねじりコイルバネ９１２，９１３によって、Ｌ字金具９１５を元の状態に戻す弾性力が加えられる。
【００８４】
図１３は、図１１におけるＤ−Ｄ線での断面構造を示し、座面部５１の係止め状態が解除される様子を示す図である。図１３（ａ）に示すように、座面部５１は、留め金具固定部８１の上方に、留め金具９１のＬ字金具９１５を収納するための空隙５１２と、Ｌ字金具９１５を係止めするための係止め部５１１とを備える。ねじりコイルバネ９１２，９１３が加える弾性力によって、Ｌ字金具９１５は、空隙５１２に収納される。そして、Ｌ字金具９１５が係止め部５１１に係止めされ、座面部５１が保持筐体に取り付けられることになる。
【００８５】
図１３（ａ）に示すように、第１の金具用挿入孔８１１と第２の金具用挿入孔２１１ｄとが連通したら、図１３（ｂ）に示すように、棒５２をこの連通孔に挿入して、留め金具９１に対して、押圧力を加えることができる。これによって、Ｌ字金具９１５がヒンジ部９１１を中心に回動し、図１３（ｃ）に示すように、係止め状態が解除され、座面部５１が取り外し可能となる。このように、留め金具９１によって、錠構造が実現される。
【００８６】
図１４は、他の留め金具９２を用いたときのＤ−Ｄ線での断面構造を示し、座面部５１の係止め状態が解除される様子を示す図である。留め金具９２のヒンジ部９２１には、ねじりコイルバネが含まれていない。その代わりに、図１４（ａ）に示すように、コイルバネ９２４，９２６によって、Ｌ字金具９２５と留め金具固定部８１とが連結されている。コイルバネ９２４，９２６は、第１の金具挿入孔８１１の上下に設けられている。固定部９２３が留め金具固定部８１に固定されることによって、コイルバネ９２４，９２６が、Ｌ字金具９２５に弾性力を与えることができる。なお、少なくとも１つのコイルバネによってＬ字金具９２５と留め金具固定部８１とが連結されているだけでも、Ｌ字金具９２５に弾性力を与えることができる。
【００８７】
図１４（ｂ），（ｃ）に示すように、棒５２を第１の金具用挿入孔８１１と第２の金具用挿入孔２１１とによって得られる連通孔に挿入して、押圧力をＬ字金具９２５に加えることによって、座面部５１を取り外しすることができる。このように、留め金具９２によって、錠構造が実現される。
【００８８】
図１５は、他の留め金具９３を用いたときのＤ−Ｄ線での断面構造を示し、座面部５３の係止め状態が解除される様子を示す図である。図１６は、図１５に示した構造で用いられる留め金具９３及び座面部用金具５３１の構造を示す図である。図１５及び図１６に示すように、留め金具９３は、留め金具固定部８１に固定されている留め金具支持部９４に断面Ｌ字状に切り込まれた部分に、ねじりコイルバネ９３２，９３３を含むヒンジ部９３１を中心として、Ｌ字金具９３５と固定部９３４とがＬ字状に折れ曲がるように、固定されている。なお、留め金具９３の固定方法は、図１５の例に限られるものではない。図１６に示す例では、座面部５３に取り付けられた座面部用金具５３１に特徴がある。座面部用金具５３１は、Ｕ字状係止めフック５３２を有する。ねじりコイルバネ９３２，９３３の弾性力によって、Ｌ字金具９３５がＵ字状係止めフック５３２に係止めされることによって、座面部５３が固定される。図１５（ａ），（ｂ），（ｃ）に示すように、棒５２を連通孔に挿入して、係止め状態を解除し、座面部５３を取り外すことができる。このように、留め金具９３によって、錠構造が実現される。なお、ここでは、留め金具固定部８１と留め金具支持部９４とは別であるとしたが、留め金具固定部８１及び留め金具支持部９４は、一体となって、留め金具９３を固定するための留め金具固定部として機能している。
【００８９】
このように、第３の実施形態によれば、座面部を係り止めすることができる金具を用いて、座面部を取り外すことができる。加えて、座面部を取り外すには、スライド板部をスライドさせて、適切なサイズの棒を挿入して、複数の係止め状態を同時に解除しなければならない。このような解除は、知っている者でなければ、できないと予想される。よって、平常時において、収納されている物品の盗難を防止することができるベンチが提供される。その他は、第１の実施形態と同様であるので、災害時に、側面を破壊して、収納されている物品を取り出すことができる。
【００９０】
また、ベンチの４面すべてが第３の実施形態のような構造である必要ななく、一部が第３の実施形態のような構造であればよい。また、第１、第２、第３の実施形態の隠し錠構造を組み合わせて、座面部の取り付け構造を実現してもよい。複数の構造を組み合わせることによって、盗難防止効果は、より向上すると考えられる。
【００９１】
（第４の実施形態）
図１７は、本発明の第４の実施形態に係るベンチの断面構造を示す図である。図１７に示すように、小型のベンチに対しては、短手方向の外側面にのみ、隠し錠構造を採用してもよい。小型のベンチであれば、短手方向の外側面に隠し錠構造を用いるだけでも、座面部の固定強度は十分に維持できると期待できるからである。
【００９２】
なお、第４の実施形態のように、短手方向にのみ隠し錠構造を採用することは、第２及び第３の実施形態においても採用できることは言うまでもない。
【００９３】
（第５の実施形態）
図１８（ａ）は、本発明の第５の実施形態に係る隠し錠構造の断面図である。図１８（ｂ）は、第５の実施形態に係る隠し錠構造の断面分解図である。図１９は、図１８（ａ）におけるＥ−Ｅ線での断面分解図である。なお、第１の実施形態と同様の部分については、同一の参照符号を援用する。
【００９４】
第５の実施形態では、スライド板部２１の表面の一部に金属板２１ｍが取り付けられている。柱１１の表面の一部には、金属板１１ｍが取り付けられている。柱１２の表面の一部には、金属板１２ｍが取り付けられている。隠し錠部６１とスライド板部２１との間に、中間板２８が取り付けられている。中間板２８は、隠し錠部６１に固定されている。中間板２８は、鍵穴６１２に繋がるように、孔２８１を有する。中間板２８の表面の一部には、金属板２８ｍが取り付けられている。側面板部２２には、金属板２２ｍが取り付けられている。座面部５０には、金属板５０ｍが取り付けられている。
【００９５】
各金属板は、それぞれが対向するような位置に取り付けられている。具体的には、スライド板部２１の金属板２１ｍは、柱１１，１２の金属板１１ｍ，１２ｍ、座面部５０の金属板５０ｍ、側面板部２２の金属板２２ｍ、及び中間板２８の金属板２８ｍに対向するように取り付けられている。スライド板部２１に取り付けられた金属板２１ｍによって、スライド板部２１自体の反りや収縮を防止することができる。また、対向するように金属板が設けられているので、スライド板部２１のスライドを滑らかにすることができる。さらに、対向するように金属板が設けられているので、スライド面の木材がすり減ることによる不具合を防止することができる。このように、スライド板部２１の少なくとも一部が金属板によって覆われていれば、反りや収縮、滑らかなスライド、木材のすり減り等を防止することができる。なお、同様の構造が、スライド板部２１以外のスライド板部に適用されていても良い。
【００９６】
なお、第５の実施形態に示すように、スライド板部の少なくとも一部を金属板で覆う構造は、第２〜４の実施形態においても適用できる。
【００９７】
なお、第１〜５の実施形態では、スライド板部を設けて錠を隠し錠とすることにしたが、鍵穴が常に視認できる状態であったとしても難防止の効果は図れるので、隠し錠にすることに限定されるものではない。
【００９８】
なお、第１〜第５の実施形態において、座面部が土台筐体から取り外された場合に作動する警報装置が、ベンチに取り付けられていてもよい。たとえば、座部に磁石が取り付けられ、当該磁石に対応するようにリードスイッチが土台筐体に取り付けられていて、座面部が取り外されることによって当該磁石がリードスイッチから離れた場合に警報装置が作動して、防犯ブザーや防犯ベルなどを鳴らすようにするとよい。その他、通信装置を介して、防犯センターや公園管理事務所等に通報するようにしてもよい。電源は、外部から供給されていてもよいし、ベンチに内蔵されているバッテリーや太陽電池から供給されてもよい。なお、座面部が土台筐体から取り外されたことと検知するための手段は、上記に限らず、あらゆるスイッチやセンサ等を使用することができる。また、警報装置は電気式のものに限らず、ゼンマイ仕掛け等によって、座面部が土台筐体から離れたら、機械式に防犯ベルがなるようにしてもよい。なお、災害発生時やメンテナンス時に警報装置が作動しては困るので、当該警報装置には、ベル等の音を鳴らなくするような解除手段が設けられている。
【００９９】
（第６の実施形態）
図２０は、本発明の第６の実施形態に係るベンチを示す図である。第１の実施形態では、座面部５０が取り外されることによって、土台筐体２に物品を収納するための物品収納口４ａが設けられることとした。第６の実施形態では、座面部５４は取り外すことができない変わりに、土台筐体２ｇの短手方向の側面部２ｈが、開閉することによって、物品を収納することができるようにしている。それ以外は、第１の実施形態と同様で、長手方向の側面に窪み部７１が設けられており、側面の木製板が破壊できるようになっている。
【０１００】
側面の木製板が破壊できるのであれば、物品を収納するための物品収納口は、第１の実施形態のように、座面部５０が取り外されることによって、土台筐体の上部の開口が物品収納口４ａになっても良いし、第６の実施形態のように、側面部２ｈが開閉することによって、物品収納口４ｂが設けられても良い。側面部５４は、収納されている物品の盗難を防止するために、南京錠６９０で通常は開かないようになっている。
【０１０１】
第６の実施形態に示すように、物品を収納するための物品収納口が土台筐体に含まれていれば、どのような形態で物品収納口が構成されていてもよい。ただし、いたずらや盗難を防止するために、物品収納口が錠によって開け閉めされる構造になっている必要がある。
【０１０２】
なお、第６の実施形態に示すように、短手方向の側面が開閉する場合に対しても、隠し錠構造を適用することができる。
【０１０３】
（第７の実施形態）
図２１は、本発明の第７の実施形態に係るベンチにおける隠し錠の構造を示す断面図である。図２１（ａ）は、施錠時の状態を示す図である。図２１（ｂ）は、解錠時の状態を示す図である。図２２は、第７の実施形態で用いるカマ錠の斜視図である。図２１は、第１の実施形態における図５に相当する図である。
【０１０４】
座面部５０には、錠用側面部５０２が取り付けられている。錠用側面部５０２には、穴部５０２ａが堀込まれている。穴部５０２ａには、Ｏ字状金具５０４が取り付けられている。側面板部４７には、側面板部５０３が取り付けられている。側面板部５０３には、Ｏ字状金具５０５及びカマ錠５０６が埋め込まれている。鍵穴５０７に所定の鍵を差し込んで、鍵を回転させることによって、Ｏ字状金具５０４，５０５に設けられた穴５１１，５１２をスライドしてラッチ部５１２が上下するのに併せて、ラッチ部５１２の内部から、カマ金具５０８及び５０９が開閉する。カマ金具５０８及び５０９がＯ字状金具５０４に引っかかることによって、施錠される。カマ錠は、隠し錠になっている。隠し錠にするための構造は、本明細書に記載した他の実施形態と同様であるので、説明を省略する。また、隠し錠としてのカマ錠が設けられる位置は、特に限定されるものではない。なお、ここで示したカマ錠は、一例であって、周知のあらゆるカマ錠を用いることができる。
【０１０５】
このように、第７の実施形態によれば、隠し錠の構造をより簡易なものとすることができ、製造コストの低減が期待できる。
【０１０６】
（第８の実施形態）
図２３は、本発明の第８の実施形態に係る座面部５０を示す側面図である。図２３（ａ）は、脚部５２０を開いた状態の側面図である。図２３（ｂ）は、脚部５２０を閉じた状態の側面図である。図２４は、座面部５０に取り付けられる脚部５２０を含む部材一式の構造を示す正面図である。第８の実施形態においては、第７の実施形態と同様にカマ錠を用いることとするため、錠用側面部５０２が座面部５０に取り付けられていることとしているが、これに限定されるものではない。
【０１０７】
脚部５２０の一端は、蝶番５２４によって、座面部５０に取り付けられている。脚部５２０の他端には、車輪５２６が取り付けられている。脚部５２０の一端から四分の一程度の長さの箇所に、ヒンジ部５２５を介して、支持金具５２１が回動可能に取り付けられている。図２４に示すように、脚部５２０は、２本組になっている。２本の脚部５２０同士は、補強金具５２０ａで連結されている。支持金具５２１も、２本組になっている。支持金具５２１におけるヒンジ部５２５とは逆の端部には、固定用金具５２１ａが連結されている。固定用金具５２１ｂには、複数の穴５２１ｂが穿孔されている。穴５２１ｂに蝶ボルト５２３が挿入されて、固定用金具５２１ｂと座面部５０とが固定される。これによって、脚部５２０が所定の角度で固定されることとなる。これにより、座面部５０は、担架やテーブルなとどして使用することができる。なお、車輪５２６は、固定状態と開放状態とを選ぶことができるものであるとよい。
【０１０８】
脚部５２０を折り畳む場合、蝶ボルト５２３を外し、蝶番５２４を中心に脚部５２０を座面部５０側に回動させる。脚部５２０は、たとえば、図示しないベルトなどで座面部５０に固定される。図２３（ｂ）に示すように、脚部５２０を折り畳んだ場合、車輪５２６が突出する。これによって、座面部５０を台車などとして使うことも可能となる。なお、脚部５２０の折り畳み構造は、図２３及び２４に示した例に限られるものではなく、一端に車輪が取り付けられた折り畳み可能な脚部を用いるのであれば、特に限定されるものではない。
【０１０９】
２本の支持金具５２１の中程辺りには、Ｌ字状金具５２２が取り付けられている。Ｌ字状金具は、断面がＬ字状である。Ｌ字状金具５２２の高さは、脚部５２０を折り畳んだ際の蝶番５２４の厚さと略同一である。これにより、図２３（ｂ）に示したように、脚部５２０を折り畳んだ際、Ｌ字状金具５２２の一端が座面部５０と接触することとなる。これによって、脚部５２０を折り畳んで使用する際、蝶番５２４にかかる荷重を軽減することができる。よって、蝶番５２４の故障を防止することが可能である。なお、図２４に示すように、座面部５０を支える面積を大きくするために、Ｌ字状金具５２２は、２本の支持金具５２１と交差するように取り付けられているが、たとえば、脚部５２０の一部分だけなどにＬ字状金具５２２が取り付けられていても良い。すなわち、車輪を取り付けるための部材のいずれかにＬ字状金具５２２が取り付けられていればよい。なお、ここでは、Ｌ字状金具としたが、形状はＬ字状に限るものではなく、Ｈ字状、Ｕ字状、矩形状など、あらゆる形状の部材（荷重分散部材）を取り付けて、座面部５０の荷重を分散させるとよい。
【０１１０】
このように、第８の実施形態では、複数の車輪が折り畳み可能な複数の脚部に取り付けられているので、土台筐体内の収納スペースを広く確保することができ、より多くの物品を収納することができる。また、複数の脚部を立脚させた際、座面部を高い位置にすることができるので、担架やテーブル等として、座面部を活用することが可能となる。逆に、複数の脚部を折り畳んだ場合、座面部を台車等に利用することができる。
【０１１１】
さらに、荷重分算部材を車輪を取り付けるための部材（脚部５２０や支持金具５２３）に取り付けることによって、脚部５２０と座面部５０との接続部分にかかる加重負担を軽減することができる。
【０１１２】
なお、上記第１〜第８の実施形態で示した、スライド構造や、錠構造は、あくまでも一例であって、これらに限定されるものではない。
【０１１３】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【０１１４】
本発明に係るベンチは、物品を収納するためのスペースを有し、災害時等に、有益である。
【図面の簡単な説明】
【０１１５】
【図１】本発明の第１の実施形態に係るベンチ１の斜視図
【図２】図１におけるＡ面で切り取ったときの断面図
【図３】側面板部４１，４２，４３に形成された窪み部７１の一例を示す斜視図
【図４】鍵穴出現孔２１１から鍵穴６１２が視認できるようになった様子を示す図
【図５】図４（ａ）におけるＣ−Ｃ面における断面図
【図６】鍵の一例を示す図
【図７】取り外された座面部５０の斜視図
【図８】窪み部７１の他の構造例を示す図
【図９】本発明の第２の実施形態に係る隠し錠構造を有するベンチを示す図
【図１０】ダミー鍵穴出現孔２５１ａ，２５１ｂ及びダミー挿入孔２５２ａ，２５２ｂを側面板部に設けたときのベンチを示す図
【図１１】本発明の第３の実施形態に係るベンチの短手方向外側面の断面図
【図１２】留め金具９１の構造の一例を示す図
【図１３】図１１におけるＤ−Ｄ線での断面構造を示し、座面部５１の係止め状態が解除される様子を示す図
【図１４】図１１におけるＤ−Ｄ線での他の断面構造を示し、座面部５１の係止め状態が解除される様子を示す図
【図１５】図１１におけるＤ−Ｄ線での他の断面構造を示し、座面部５３の係止め状態が解除される様子を示す図
【図１６】図１５に示した構造で用いられる留め金具９３及び座面部用金具５３１の構造を示す図
【図１７】本発明の第４の実施形態に係るベンチの断面構造を示す図
【図１８】本発明の第５の実施形態に係る隠し錠構造を示す図
【図１９】図１８（ａ）におけるＥ−Ｅ線での断面分解図
【図２０】本発明の第６の実施形態に係るベンチを示す図
【図２１】本発明の第７の実施形態に係るベンチにおける隠し錠の構造を示す断面図
【図２２】第７の実施形態で用いるカマ錠の斜視図
【図２３】本発明の第８の実施形態に係る座面部５０を示す側面図
【図２４】座面部５０に取り付けられる脚部５２０を含む部材一式の構造を示す正面図
【符号の説明】
【０１１６】
１  ベンチ
２，２ｇ  土台筐体
２ｈ  側面部
３  収納スペース
４ａ，４ｂ  物品収納口
１１，１２  柱
１１ａ  隠蔽部
２１，６１６，２１ｄ  スライド板部
２１ａ  凹部
２１ｍ  金属板
２２，２３  側面板部
２２ａ，２３ａ  ダミー凹部
２５  最外板部
４１，４２，４３，４７  側面板部
５０，５１，５３，５４  座面部
６１，６１５  隠し錠部
７１  窪み部
７９  車輪
８１  留め金具固定部
９１，９２，９３  留め金具
２１１  鍵穴出現孔
２１１ｄ  第２の金具用挿入孔
２５１  第１の鍵穴出現孔
２５２  第１の挿入孔
５０１  フック
６１１  隠し錠
６１２  鍵穴
６１３  デッドボルト
６１７  第２の鍵穴出現孔
６１８  第２の挿入孔
６９０  南京錠
８１１  第１の金具用挿入孔
５０６  カマ錠
５２０  脚部
【図１】
2008080179.tif 000003
【図２】
2008080179.tif 000004
【図３】
2008080179.tif 000005
【図４】
2008080179.tif 000006
【図５】
2008080179.tif 000007
【図６】
2008080179.tif 000008
【図７】
2008080179.tif 000009
【図８】
2008080179.tif 000010
【図９】
2008080179.tif 000011
【図１０】
2008080179.tif 000012
【図１１】
2008080179.tif 000013
【図１２】
2008080179.tif 000014
【図１３】
2008080179.tif 000015
【図１４】
2008080179.tif 000016
【図１５】
2008080179.tif 000017
【図１６】
2008080179.tif 000018
【図１７】
2008080179.tif 000019
【図１８】
2008080179.tif 000020
【図１９】
2008080179.tif 000021
【図２０】
2008080179.tif 000022
【図２１】
2008080179.tif 000023
【図２２】
2008080179.tif 000024
【図２３】
2008080179.tif 000025
【図２４】
2008080179.tif 000026